(57)【要約】    【課題】閉閉扉の裏側の構成部材と透明板ユニットとの干渉を解消でき、遊技領域の拡大化を図ることができるようにする。    【解決手段】遊技領域２３へと遊技球を案内するガイドレール２１を有する遊技盤７と、遊技盤７の前側に開閉自在に配置され且つ遊技領域２３を視認可能な透明板ユニット４１を有する開閉扉８とを備える。透明板ユニット４１は前後に配置された第１・第２透明板４５，４６と、第１・第２透明板４５，４６の外周部を保持する保持枠４７と、ガイドレール２１の前側へと膨らみ且つガイドレール２１と共に遊技球を案内する張り出し案内部５３と、張り出し案内部５３の前側で第１透明板４５の外周側に開閉扉８の裏側の構成部材４２ａに対応して形成された段差部５１とを有する。【選択図】図５
2015166000.tif 000002
【特許請求の範囲】
【請求項１】
遊技領域へと遊技球を案内するガイドレールを有する遊技盤と、
前記ガイドレールの前側から前記遊技領域を視認可能な透明板ユニットを裏側に有し且つ前記遊技盤の前側に開閉自在に配置された開閉扉とを備え、
前記透明板ユニットは第１透明板と、所定の間隔を置いて前記第１透明板の裏側に配置された第２透明板と、前記第１透明板と前記第２透明板との外周部を保持する保持枠とを備えた弾球遊技機において、
前記透明板ユニットは
前記ガイドレールの前側に張り出して遊技球を案内可能な張り出し案内部と、
該張り出し案内部の前側で前記第１透明板の外周側に前記開閉扉の裏側の補強部に対応して配置された段差部とを有する
ことを特徴とする弾球遊技機。
【請求項２】
前記保持枠は
前記第１透明板を保持する第１保持部と、
前記第２透明板を保持し且つ前記張り出し案内部側が前記第１保持部よりも外側に突出する第２保持部とを一体に備えた
ことを特徴とする請求項１に記載の弾球遊技機。
【請求項３】
前記張り出し案内部は前記第２透明板の裏面と略面一状である
ことを特徴とする請求項１又は２に記載の弾球遊技機。
【請求項４】
前記第２透明板は前記張り出し案内部を一体に備えた
ことを特徴とする請求項１〜３の何れかに記載の弾球遊技機。
【請求項５】
前記保持枠は前記張り出し案内部を前記第２保持部と一体に備えた
ことを特徴とする請求項１〜３の何れかに記載の弾球遊技機。
【請求項６】
前記各透明板は略同形状であり、
前記第１透明板と前記第２透明板とを左右に偏位して配置した
ことを特徴とする請求項１〜５の何れかに記載の弾球遊技機。
【請求項７】
前記開閉扉の裏側に前記透明板ユニットを装着するときに該透明板ユニットを前記開閉扉の適正位置に位置決めする位置決め手段を備えた
ことを特徴とする請求項１〜６の何れかに記載の弾球遊技機。
【発明の詳細な説明】
【技術分野】
【０００１】
本発明は、パチンコ機、アレンジボール機等の弾球遊技機に関するものである。
【背景技術】
【０００２】
弾球遊技機、例えばパチンコ機では、前枠に装着された遊技盤の前側にガラス扉を配置し、その窓孔を塞ぐガラス板ユニットを介して遊技盤の遊技領域を視認するようになっている。ガラス扉は遊技領域に対応する窓孔が形成された扉主体と、この扉主体の裏側に着脱自在に装着され且つ窓孔を塞ぐガラス板ユニットとを備えている。
【０００３】
この種のパチンコ機に使用されるガラス板ユニットは、従来、略同一形状の２枚のガラス板を所定の間隔を置いて前後に相対向して配置し、その２枚のガラス板を外周側から保持枠により保持する構造となっている。このガラス板ユニットはガラス扉を閉じたときに、遊技領域の外側に配置されたガイドレールの球案内部を前側から覆うようになっている（特許文献１）。
【先行技術文献】
【特許文献】
【０００４】
【特許文献１】特開２０１１−９８１４７号公報
【発明の概要】
【発明が解決しようとする課題】
【０００５】
従来のガラス板ユニットは略同一形状の２枚のガラス板を所定の間隔を置いて前後に相対向して配置し、その２枚のガラス板の外周部を保持枠により保持しているため、遊技領域の左右幅を拡大し難いという問題がある。
【０００６】
即ち、遊技領域の左右幅を大きくする場合には、遊技盤の前面に円弧状に配置されたガイドレールの膨らみ部が左側に移動するため、それに合わせてガラス扉の窓孔、及び窓孔を塞ぐガラス板ユニットも左側へと大きく膨らむこととなり、ガラス扉の扉主体の左側枠部の左右幅が非常に狭くなる。
【０００７】
しかし、扉主体の左側枠部の裏側には、後方に突出する補強部材、補強リブその他の構成部材があり、その構成部材がガラス板ユニットと干渉するため、ガイドレール等を左側に膨らませて遊技領域の拡大を図るにも自ずと限界がある。
【０００８】
特に近年のパチンコ機では、ガラス扉の上部に大型のスピーカを配置する等、ガラス扉自体の重量が非常に重たくなる傾向にあり、これに伴って扉主体の裏側に剛強な補強構造を設けている。このため遊技領域の拡大化を図るためには、扉主体の剛性を確保しながら、ガラス板ユニットと扉主体の裏側の構成部材との干渉を如何に解消するかが重要な問題となっている。
【０００９】
本発明は、このような従来の問題点に鑑み、開閉扉の裏側の補強部と透明板ユニットとの干渉を解消でき、遊技領域の拡大化を図ることができる弾球遊技機を提供することを目的とする。
【課題を解決するための手段】
【００１０】
本発明は、遊技領域へと遊技球を案内するガイドレールを有する遊技盤と、前記ガイドレールの前側から前記遊技領域を視認可能な透明板ユニットを裏側に有し且つ前記遊技盤の前側に開閉自在に配置された開閉扉とを備え、前記透明板ユニットは第１透明板と、所定の間隔を置いて前記第１透明板の裏側に配置された第２透明板と、前記第１透明板と前記第２透明板との外周部を保持する保持枠とを備えた弾球遊技機において、前記透明板ユニットは前記ガイドレールの前側に張り出して遊技球を案内可能な張り出し案内部と、該張り出し案内部の前側で前記第１透明板の外周側に前記開閉扉の裏側の補強部に対応して配置された段差部とを有するものである。
【００１１】
前記保持枠は前記第１透明板を保持する第１保持部と、前記第２透明板を保持し且つ前記張り出し案内部側が前記第１保持部よりも外側に突出する第２保持部とを一体に備えたものでもよい。
【００１２】
前記張り出し案内部は前記第２透明板の裏面と略面一状であってもよい。前記第２透明板は前記張り出し案内部を一体に備えたものでもよい。前記保持枠は前記張り出し案内部を前記第２保持部と一体に備えたものでもよい。
【００１３】
前記各透明板は略同形状であり、前記第１透明板と前記第２透明板とを左右に偏位して配置したものでもよい。前記開閉扉の裏側に前記透明板ユニットを装着するときに該透明板ユニットを前記開閉扉の適正位置に位置決めする位置決め手段を備えたものでもよい。
【発明の効果】
【００１４】
本発明では、開閉扉の裏側の補強部と透明板ユニットとの干渉を解消でき、遊技領域の拡大化を図ることができる。
【図面の簡単な説明】
【００１５】
【図１】本発明の第１の実施形態を示すパチンコ機の正面図である。
【図２】同ガラス扉の背面図である。
【図３】同ガラス扉の裏側の分解斜視図である。
【図４】同ガラス扉の側面断面図である。
【図５】同ガラス扉の左側の平面断面図である。
【図６】同ガラス扉の右側の平面断面図である。
【図７】同ガラス板ユニットの正面図である。
【図８】同ガラス板ユニットの平面断面図である。
【図９】同ガラス板ユニットの一部切欠き分解斜視図である。
【図１０】同締結手段の拡大図である。
【図１１】本発明の第２の実施形態を示すガラス扉の左側の平面断面図である。
【図１２】本発明の第３の実施形態を示すガラス板ユニットの正面図である。
【図１３】同図１２のＸ−Ｘ線拡大断面図である。
【図１４】同図１２のＹ−Ｙ線拡大断面図である。
【図１５】本発明の第４の実施形態を示すガラス板ユニットの背面図である。
【図１６】同図１５のＶ−Ｖ線拡大断面図である。
【図１７】同要部の拡大図である。
【図１８】同（Ａ）（Ｂ）は位置決め動作の説明図である。
【図１９】同図１５のＷ−Ｗ線拡大断面図である。
【図２０】同装着動作の説明図である。
【図２１】本発明の第５の実施形態を示すパチンコ機の側面断面図である。
【図２２】本発明の第６の実施形態を示すパチンコ機の平面断面図である。
【図２３】同ガラス板ユニットの正面図である。
【図２４】本発明の第７の実施形態を示すパチンコ機の正面図である。
【図２５】同平面断面図である。
【図２６】同ガラス板ユニットの正面図である。
【図２７】本発明の第８の実施形態を示すパチンコ機の平面断面図である。
【図２８】同ガラス板ユニットの要部の正面図である。
【図２９】本発明の第９の実施形態を示すパチンコ機の平面断面図である。
【図３０】同ガラス板ユニットの正面図である。
【図３１】本発明の第１０の実施形態を示すパチンコ機の正面図である。
【図３２】同ガラス板ユニットの正面図である。
【図３３】本発明の第１１の実施形態を示すガラス板ユニットの正面図である。
【図３４】同要部の側面図である。
【図３５】同要部の斜視図である。
【発明を実施するための形態】
【００１６】
以下、本発明の各実施形態を図面に基づいて詳述する。
【００１７】
図１〜図１０は本発明をパチンコ機１に採用した第１の実施形態を例示する。パチンコ機１は、図１に示すように、矩形状の外枠２と、この外枠２の前側に装着された前枠３とを備えている。
【００１８】
前枠３は左右一端側が上下一対の前枠用ヒンジ４により外枠２に縦軸廻りに開閉自在に枢支され、左右他端側が前枠用施錠手段５Ａ（図６参照）により外枠２に閉状態で施錠されている。前枠３の上部側の遊技盤装着部６には遊技盤７が着脱自在に装着され、その遊技盤７の前側にガラス扉（開閉扉）８が、ガラス扉８の下側に前面扉９が夫々配置されている。
【００１９】
遊技盤装着部６は遊技盤７が前側から挿脱可能な矩形枠状であり、図５、図６に示すように、左右の縦枠部１０ａ，１０ｂの内、前枠用ヒンジ４側の縦枠部１０ａの左右幅を反対側の縦枠部１０ｂに比較して小さくする等により、前枠３全体の左右幅を変えることなく左右幅の大きい遊技盤７を装着できるようになっている。
【００２０】
なお、遊技盤７の上下方向の中間部が前枠用ヒンジ４側へと側方に張り出す場合には、それに対応して遊技盤装着部６の前枠用ヒンジ４側の縦枠部１０ａに張り出し部を設けると共に、その張り出し部に対応する切欠き部を外枠２に設ける等によって、遊技盤７の左右幅を拡大してもよい。
【００２１】
ガラス扉８、前面扉９は左右方向の一端側がガラス扉用ヒンジ１１、前面扉用ヒンジ１２により前枠３に開閉自在に枢支され、左右方向の他端側が閉状態でガラス扉用施錠手段５Ｂ、前面扉用施錠手段（図示省略）により前枠３に施錠されている。なお、各ヒンジ４，１１，１２は略同一軸心上に配置されている。前枠用施錠手段５Ａ、ガラス扉用施錠手段５Ｂ等の各施錠手段は、共通の施錠操作手段１３（図２、図３参照）のキー操作により適宜解除できるようになっている。
【００２２】
前面扉９の前側には、発射用の遊技球を貯留する球供給皿１４と、余剰球を貯留する球受け皿１５とが上下に配置され、その側方に遊技球を発射する発射手段１６の発射ハンドル１７が設けられている。球供給皿１４の前側にはチャンスボタン１８、回転発光演出手段１９等が設けられている。
【００２３】
遊技盤７の前面には、前枠用ヒンジ４等に近い側にガイドレール２１が、このガイドレール２１と反対側に前飾り部材２２が夫々装着され、その内側が略円形状の遊技領域２３となっている。ガイドレール２１は所定の間隔を置いて内外に配置された略円弧状の内レール２４と外レール２５とを有し、発射手段１６から発射された遊技球を両レール２４，２５間の球案内通路２６を経て遊技領域２３へと案内するようになっている。発射手段１６は前面扉９の裏側で前枠３の下部側に配置されている。
【００２４】
ガイドレール２１の内レール２４及び外レール２５は、遊技領域２３の上下方向の略中央側が前枠用ヒンジ４側に大きく膨らむ円弧状であり、その外レール２５の膨らみ部２５ａは遊技領域２３の拡大化に伴って遊技盤７の前枠用ヒンジ４側の端縁の極近傍に配置されている。
【００２５】
遊技領域２３には画像表示手段２８、普通図柄始動手段２９、特別図柄始動手段３０、可変入賞手段３１、普通入賞手段３２、普通図柄表示手段３３、特別図柄表示手段３４等の各種の遊技部品が配置されている。
【００２６】
画像表示手段２８は遊技領域２３の左右方向の略中央の上部に配置され、また特別図柄始動手段３０、可変入賞手段３１は画像表示手段２８の下側に上下に配置されている。普通入賞手段３２は可変入賞手段３１の左右両側に設けられている。特別図柄始動手段３０は非開閉式入賞口３０ａと開閉式入賞口３０ｂとを有する。普通図柄始動手段２９は画像表示手段２８とガイドレール２１との間に配置されている。
【００２７】
画像表示手段２８は液晶式等の画像表示部２７ａと、画像表示部２７ａに対応する表示窓２７ｂを有し且つ遊技盤７の前面に装着された前飾り枠３５とを備えている。前飾り枠３５の上部側の前面に普通図柄表示手段３３と特別図柄表示手段３４とが装着されている。
【００２８】
普通図柄表示手段３３は普通図柄を変動表示するためのもので、複数種類の普通図柄（例えば二種類の「○」「×」）に対応する複数個の発光素子により構成されており、普通図柄始動手段２９が遊技球を検出することを条件に２個の発光素子が交互に点灯するように所定時間点滅して、普通図柄始動手段２９の遊技球の検出時に抽選した乱数値が予め定められた当たり判定値と一致した場合に当たり態様の「○」側の発光素子が点灯し、それ以外の場合に外れ態様の「×」側の発光素子が点灯して停止する。
【００２９】
特別図柄表示手段３４は発光部位の変化等で特別図柄を変動表示可能なセグメント式等により構成されており、特別図柄始動手段３０が遊技球を検出することを条件に、特別図柄が所定時間変動して、特別図柄始動手段３０の遊技球の検出時に抽選された乱数値が予め定められた大当たり判定値と一致した場合に所定の大当たり態様で、それ以外の場合に外れ態様で停止するようになっている。
【００３０】
特別図柄始動手段３０の開閉式入賞口３０ｂは、普通図柄表示手段３３の変動後の停止図柄が特定態様となったときに所定時間（短時間）だけ開放するようになっている。可変入賞手段３１は可変入賞口３１ａを開閉する開閉板３１ｂを有し、特別図柄表示手段３４の変動後の特別図柄が特別態様となって特別遊技状態が発生したときに開閉板３１ｂが前側に開放して、上方から落下する遊技球を入賞させるようになっている。特別遊技状態中は開閉板３１ｂの開放から所定時間（例えば３０秒程度）が経過するか、その間に所定数（例えば１０個）の遊技球が入賞したときに開閉板３１ｂを閉じる動作を１ラウンドとし、この動作を所定回数（例えば１６ラウンド）継続するようになっている。
【００３１】
画像表示部２７ａは特別図柄表示手段３４の特別図柄に対応する演出図柄３６ａ〜３６ｃを変動表示する等、遊技の進行に従って適宜タイミングで各種の演出画像を随時表示するものである。即ち、特別図柄表示手段３４の特別図柄の変動に際しては、その特別図柄の変動に同期して１個又は複数個、例えば３個の演出図柄３６ａ〜３６ｃが画像表示部２７ａに変動表示される。このとき演出図柄３６ａ〜３６ｃは特別図柄始動手段３０の遊技球の検出を条件に、抽選により決定された所定の演出図柄変動パターンを経て所定時間変動した後、特別図柄の変動終了に同期して所定の順序（例えば左、右、中等の順序）で順次停止する。
【００３２】
演出図柄３６ａ〜３６ｃの変動後の停止図柄は、特別図柄が特別態様で停止する場合には全てが揃う特別演出態様となり、特別図柄が外れ態様で停止する場合には少なくとも一部が異なる外れ演出態様となる。
【００３３】
例えば、演出図柄３６ａ〜３６ｃには０〜９までの数字図柄が使用されており、特別図柄が特別態様で停止する場合には演出図柄３６ａ〜３６ｃは「７・７・７」等の特別演出態様で停止し、特別図柄が外れ態様で停止する場合には演出図柄３６ａ〜３６ｃは「２・３・４」等の外れ演出態様で停止する。
【００３４】
画像表示手段２８は変動後の特別図柄が特別態様となる信頼度の高い演出図柄変動パターンを抽選したとき等、遊技者に対して期待感を抱かせる所定の遊技状態、例えば１個の演出図柄３６ｂを除く２個の演出図柄３６ａ，３６ｃが同じとなるリーチとなった場合に、画像表示部２７ａの所定箇所にチャンスボタンの操作を指示する操作指示画像が表示される。
【００３５】
そして、例えば特別図柄始動手段３０が遊技球を検出したときに特別遊技を抽選しており、変動後の特別図柄が特別態様となった後に特別遊技状態が発生する場合には、その操作指示画像に従って図柄変動中に適宜タイミングでチャンスボタンを操作すれば、チャンスボタンが明滅発光する発光状態となって、その後の大当たり態様での特別図柄の停止、及びこれに続く特別遊技状態の発生を予告する。
【００３６】
ガラス扉８は図２、図３に示すように、遊技盤７の遊技領域２３に対応する窓孔３７を有する扉主体３８と、この扉主体３８の裏側に係合手段３９及び締結手段４０を介して着脱自在に装着されたガラス板ユニット４１と、ガラス扉８の少なくとも左右両側部及び下部を補強する第１〜第３補強部材４２〜４４とを備え、窓孔３７内のガラス板ユニット４１を介して遊技領域２３を前面から透視するようになっている。なお、ガラス板ユニット４１は略全周が扉主体３８の裏面に当接した状態で装着可能であり、その装着状態では扉主体３８を裏側から補強するように構成されている。
【００３７】
ガラス板ユニット４１は図４〜図９に示すように、所定の間隔を置いて配置された前後２枚の第１・第２ガラス板４５，４６と、この両ガラス板４５，４６を外周側で保持する保持枠４７とを備え、内部に密閉空間ができるように両ガラス板４５，４６と保持枠４７とが接着等で固定されている。
【００３８】
両ガラス板４５，４６には、左右一対の上下方向の側縁と、この側縁の下端間に円弧縁を介して連続する左右方向の下縁と、側縁の上端間を接続する上向き円弧状又は略台形状の上縁とを有する略同一形状のもの又は近似形状のものが使用されており、その両ガラス板４５，４６が左右方向に偏位量αだけ偏位して配置されている。
【００３９】
従って、第１ガラス板４５のガイドレール２１（前枠用ヒンジ４）と反対側には第２ガラス板４６よりも左右方向の外側に突出する突出部４５ａが設けられ、第２ガラス板４６のガイドレール２１側には第１ガラス板４５よりも左右方向の外側に突出する突出部４６ａが設けられている。
【００４０】
保持枠４７は両ガラス板４５，４６間の間隔を保持する間隔保持部４８と、この間隔保持部４８の前後両側で各ガラス板４５，４６の外周部を保持する第１・第２保持部４９，５０とを一体に備えている。
【００４１】
この保持枠４７の第１・第２保持部４９，５０は第１・第２ガラス板４５，４６の形状に対応して形成されており、第１・第２ガラス板４５，４６の突出部４５ａ，４６ａ側では両ガラス板４５，４６の形状に沿って第１・第２保持部４９，５０が左右方向の外側に突出する形状となっている。このため保持枠４７の左右両側には、両ガラス板４５，４６の突出部４５ａ，４６ａに対応する段差部５１が設けられている。
【００４２】
即ち、保持枠４７のガイドレール２１と反対側には、第１保持部４９が第２保持部５０よりも外側に突出するよう段差部５１が裏側に形成され、またガイドレール２１側には、第２保持部５０が第１保持部４９よりも外側に突出するように段差部５１が前側に形成されている。従って、左右の段差部５１は第１・第２ガラス板４５，４６のズレに対応して逆向きになっている。
【００４３】
第１・第２保持部４９，５０の周壁部４９ａ，５０ａは、両ガラス板４５，４６の前後方向の反対側に若干突出しており、その第１保持部４９の周壁部４９ａの前端縁の略全周が扉主体３８の裏面に当接している。なお、両周壁部４９ａ，５０ａは両ガラス板４５，４６の前後方向の反対側の面と面一状でもよい。
【００４４】
ガラス板ユニット４１は、窓孔３７の形状が異なる複数種類のガラス扉８に共通に使用できるように、保持枠４７に対応する部分を除く両ガラス板４５，４６の前後の重なり部分が扉主体３８に形成可能な大きさの窓孔３７よりも大きく構成されており、ガラス扉８を閉じたときに保持枠４７が遊技領域２３及びガラス扉８の窓孔３７の外側に位置するようになっている。
【００４５】
ガイドレール２１の膨らみ部２５ａ分を含む上下方向の所定領域は、ガラス板ユニット４１の第２ガラス板４６の突出部４６ａの裏側に対応しており、この突出部４６ａにより、ガイドレール２１の内・外レール２４，２５間の球案内通路２６に沿って移動する遊技球をその前側で案内する張り出し案内部５３が構成されている。
【００４６】
扉主体３８は図２〜図７に示すように、外周形状が前枠３の前面扉９よりも上側の部分に対応する矩形状であって、左右一対の側枠部５５ａ，５５ｂ、下枠部５５ｃ及び上枠部５５ｄが一体に形成された合成樹脂製の扉枠５５と、この扉枠５５の前面に装着された化粧カバー５６とを有し、上下一対のガラス扉用ヒンジ１１を介して前枠３に枢着されている。
【００４７】
側枠部５５ａ，５５ｂは遊技領域２３の外側で前枠３及び遊技盤７の前側に対応する形状であり、遊技領域２３の上下方向の略中央に対応する中間部が狭幅となっている。ガラス板ユニット４１の張り出し案内部５３はヒンジ４，１１，１２側の側枠部５５ａの裏側に対応して設けられており、側枠部５５ａによって前側から覆われている。また下枠部５５ｃは遊技領域２３の外側で遊技盤７の前側に対応する形状であり、遊技領域２３の左右略中央に対応する中間部分が狭幅となっている。なお、扉主体３８は遊技領域２３の外側に対応する形状でもよいし、遊技領域２３の外周部分に一部が突出する形状でもよい。
【００４８】
扉枠５５の側枠部５５ａの裏面には第１補強部材４２が、側枠部５５ｂの裏面には第２補強部材４３が夫々上下方向に装着され、下枠部５５ｃの裏面には第３補強部材４４が左右方向に装着されており、これらの第１〜第３補強部材４２〜４４により、扉枠５５の各枠部５５ａ〜５５ｃを裏側から補強するようになっている。また扉枠５５の上枠部５５ｄの左右両側にスピーカユニット５２が組み込まれている。
【００４９】
扉枠５５の内側は窓孔３７よりも若干大きい開口となっている。化粧カバー５６は周方向に複数個に分割されている。化粧カバー５６は内部のスピーカユニット５２等を覆い、また化粧カバー５６の内周側には、扉枠５５の内周縁近傍に嵌合して窓孔３７を形成する内周壁５６ａが設けられている。
【００５０】
扉主体３８にはガラス扉用ヒンジ１１と反対側の側枠部５５ａ，５５ｂの下部に施錠操作手段１３が設けられ、この施錠操作手段１３にキーを挿入して所定方向に回動操作したときに前枠用施錠手段５Ａが、逆方向に回動操作したときにガラス扉用施錠手段５Ｂが夫々施錠を解除するようになっている。
【００５１】
なお、扉枠５５の上枠部５５ｄは上側が左右方向の直線状であり、下側が窓孔３７の開口縁に沿ってアーチ状又は円弧状であって、他の側枠部５５ａ，５５ｂ、下枠部５５ｃよりも上下幅、前後幅が大である上に、その裏側にはスピーカユニット５２等を覆う合成樹脂製の裏カバー５７が装着されている。そのため扉主体３８の上枠部５５ｄは十分な強度があり、その裏面には第１〜第３補強部材４２〜４４に相当する補強部材は設けられていない。
【００５２】
扉枠５５の側枠部５５ａ，５５ｂ、下枠部５５ｃ及び上枠部５５ｄには、図２、図３に示すように、その外周縁の略全長に前後両側又は片側へと屈曲する補強縁５８ａ〜５８ｃが一体に形成されており、また側枠部５５ａ，５５ｂ及び下枠部５５ｃの裏側にはその補強縁５８ａ〜５８ｃに近接して第１〜第３補強部材４２〜４４が上下方向、左右方向に夫々固定されている。
【００５３】
第１〜第３補強部材４２〜４４は帯板状の板金材を所定形状に屈曲形成したものであって、補強縁５８ａ〜５８ｃの内側近傍で扉枠５５の裏面に形成された凹部内に配置され、長手方向に所定間隔をおいて配置された複数個のネジにより裏側から扉枠５５に固定されている。ガラス板ユニット４１の外周部は扉枠５５の裏面に密着している。
【００５４】
なお、ガラス板ユニット４１はその保持枠４７が扉枠５５に裏側から当接してもよいし、第１〜第３補強部材４２〜４４に裏側から当接してもよい。
【００５５】
第１補強部材４２、第２補強部材４３は、図２、図３に示すように扉枠５５の各側枠部５５ａ，５５ｂの上下方向の略全長にわたって上下方向に配置され、上下両端部を含む複数箇所でネジにより扉枠５５の裏面に固定されている。第１補強部材４２は図４、図６に示すように、補強縁５８ａの内側近傍で裏側へと屈曲する屈曲縁４２ａと、屈曲縁４２ａの後端から左右方向の外側へと屈曲する重合縁４２ｂと、内端側から裏側へと屈曲する内側屈曲縁４２ｃとが上下方向の略全長にわたって設けられている。
【００５６】
重合縁４２ｂは図６に示すようにガラス扉８を閉じたときに前枠３の重合縁５９ａの裏側に重合して両者間の隙間を封じるためのものである。前枠３側の重合縁５９ａはガラス扉用ヒンジ１１の外側で前枠３に装着された補強板５９の前端内側に形成されている。第１補強部材４２の内側屈曲縁４２ｃは、ガラス扉８から裏側に突出する構成部材の一例であり、ガラス板ユニット４１の前枠用ヒンジ４側の段差部５１に対応しており、第２保持部５０側へと屈曲している。
【００５７】
第２補強部材４３は図２、図３に示すように、補強縁５８ｂの内側近傍で裏側へと屈曲する屈曲縁４３ａを上下方向の略全長に備えると共に、この屈曲縁４３ａから裏側に突出して内側に屈曲する平面視Ｌ字状の受け具６０が上下両端部、中間部等の所要箇所に曲げ加工により一体に設けられている。
【００５８】
第３補強部材４４は第１補強部材４２と第２補強部材４３との下端部間を左右に連結するもので、図２〜図４に示すように、扉枠５５の下枠部５５ｃの左右方向の略全長にわたって配置され、左右方向の複数箇所でネジ等により扉枠５５の裏面に固定されている。この第３補強部材４４には、ガラス板ユニット４１を下側から受ける受け部４４ａと、補強縁５８ｃの内側近傍に位置する屈曲縁４４ｂとが上下両側から裏側へと屈曲して設けられている。
【００５９】
受け部４４ａは第３補強部材４４の左右方向の中央とその左右両側とに設けられており、その上面でガラス板ユニット４１を下側から受けるようになっている。屈曲縁４４ｂは下枠部５５ｃの補強縁５８ｃに近接して第３補強部材４４の下端の略全長に設けられている。
【００６０】
前枠用施錠手段５Ａは、図６に示すように、外枠２の内側に固定された受け具６２と、前枠３に設けられ且つ前枠３を閉じたときに受け具６２に係脱自在に係合する掛け具６３とを有する。またガラス扉用施錠手段５Ｂは、図６に示すように、ガラス扉８の裏側に固定された受け具６０と、前枠３により設けられ且つガラス扉８を閉じたときに受け具６０に係脱自在に係合する掛け具６４とを有する。
【００６１】
係合手段３９は図３〜図５に示すように、ガラス板ユニット４１の保持枠４７から下方に突出する係合突起（係合部）３９ａと、第３補強部材４４の受け部４４ａに形成され且つ係合突起３９ａが上側から係脱自在に係合する係合孔（被係合部）３９ｂとを備え、左右方向に所定の間隔をおいて２個設けられている。なお、係合手段３９は３個の受け部４４ａの内、左右の受け部４４ａに対応して設けられているが、中央の受け部４４ａに対応して設けてもよい。
【００６２】
締結手段４０は図２、図３及び図１０に示すように、ガラス板ユニット４１の保持枠４７から外側に突出する被締結部６７と、この被締結部６７を裏側から扉枠５５側へと押圧する締結部材６８と、この締結部材６８を扉枠５５の裏側で押圧・解除自在に枢支する支軸６９とを備え、ガラス板ユニット４１の上部側の左右両側に設けられている。締結部材６８は摘まみ部６８ａを有し、また解除位置Ａと締結位置Ｂとに保持可能になっている。
【００６３】
ガラス板ユニット４１を扉主体３８に装着する際には、先ずガラス板ユニット４１の下部を扉主体３８の第３補強部材４４に係合する。この場合、ガラス板ユニット４１の下部側の左右の係合突起３９ａを第３補強部材４４の左右の受け部４４ａに形成された係合孔３９ｂに上側から挿入すればよい。そして、係合突起３９ａを係合孔３９ｂに挿入すれば、ガラス板ユニット４１の下部が左右方向の３個の受け部４４ａ上に載り、この受け部４４ａによりガラス板ユニット４１が下側から支持された状態となる。
【００６４】
次に係合手段３９を支点としてガラス板ユニット４１の上部側を扉主体３８の裏面に当接させた後、このガラス板ユニット４１の上部を左右の締結手段４０により締結して、ガラス板ユニット４１を扉主体３８の裏面に押圧して固定する。
【００６５】
ガラス板ユニット４１を扉主体３８の裏側に装着した状態でガラス扉８をガラス扉用施錠手段５Ｂにより施錠すると、そのガラス板ユニット４１の張り出し案内部５３、取り分けその第２ガラス板４６の突出部４６ａがガイドレール２１の膨らみ部２５ａの前側に位置する。そのため遊技に際して発射手段１６により発射された遊技球をガイドレール２１の球案内通路２６を経て遊技領域２３へと案内する場合に、その球案内通路２６の前側の第２ガラス板４６の突出部４６ａにより遊技球を案内することができる。
【００６６】
またガラス板ユニット４１を扉主体３８の裏側の所定位置に装着したときには、第１補強部材４２の内側屈曲縁４２ｃがガラス板ユニット４１の前枠用ヒンジ４側の段差部５１に位置することとなる。このため遊技領域２３の左右幅の拡大化に伴い、ガイドレール２１にガラス扉８の窓孔３７の外側に膨らむ膨らみ部２５ａがあるにも拘わらず、扉主体３８の裏面から裏側に突出する内側屈曲縁４２ｃ等の突出部分を備えた構造の第１補強部材４２を採用した場合でも、その第１補強部材４２とガラス板ユニット４１との干渉を容易に解消することが可能であり、扉主体３８の前枠用ヒンジ４側を十分に補強するに必要な断面形状の第１補強部材４２を適宜採用することができる。従って、ガラス扉８の扉主体３８の剛性の低下を防止しながら、遊技盤７の前側の遊技領域２３の左右幅を拡大できる利点がある。
【００６７】
またガラス板ユニット４１には略同一形状の第１・第２ガラス板４５，４６を使用して、その両ガラス板４５，４６を左右方向に若干偏位させた状態で保持枠４７により保持する構造であるため、単一種類のガラス板４５，４６を使用でき、ガラス板ユニット４１の製作コストの低減を図ることができる。
【００６８】
図１１は本発明の第２の実施形態を例示する。この実施形態では、扉枠５５の側枠部５５ａの裏側に、後方に突出する補強部（構成部材）７０が段差部５１に対応して一体に形成されている。補強部７０はリブ状であって、側枠部５５ａの上下方向の略全長に設けられている。なお、第１補強部材４２には第１の実施形態と同様に内側屈曲縁４２ｃを設けてもよい。他の構成は第１の実施形態と同様である。
【００６９】
このように扉主体３８の裏側で段差部５１に対応して後方に突出する補強部７０は、扉枠５５に一体に設けたものでもよい。従って、扉主体３８から段差部５１に対応して後方に突出する突出部材は、第１の実施形態に例示する第１補強部材４２の内側屈曲縁４２ｃの他、この第２の実施形態に例示する扉枠５５の補強部７０等の補強構造でもよいし、その他の構成部材でもよい。つまり、扉主体３８から後方に突出するものであれば何であってもよい。
【００７０】
図１２〜図１４は本発明の第３の実施形態を例示する。この実施形態では、保持枠４７の第１・第２保持部４９，５０側に、ガラス板４５，４６の外周部分の相対向面に対応して周溝４９ｂ，５０ｂが形成され、その周溝４９ｂ，５０ｂに各ガラス板４５，４６を接着する接着剤７１が充填され、また各保持部４９，５０間に肉厚調整溝７２が形成されている。
【００７１】
各保持部４９，５０にはガラス板４５，４６の相対向面側に開口する周溝４９ｂ，５０ｂが全周に形成され、この周溝４９ｂ，５０ｂに接着剤７１が充填されている。第２保持部５０の対向部の前側、前枠用ヒンジ４と反対側の段差部５１側には、第１保持部４９から外側への突出量が大きい部分に肉厚調整溝７２が形成されている。
【００７２】
なお、前枠用ヒンジ４と反対側の段差部５１は前後及び左右に逆であって、第１保持部４９の裏面に肉厚調整溝７２が形成されている。他の構成は各実施形態の何れかと同様である。
【００７３】
このように各保持部４９，５０に周溝４９ｂ，５０ｂを形成して、その周溝４９ｂ，５０ｂに接着剤７１を充填してガラス板４５，４６を保持枠４７に固定するようにしてもよい。また各保持部４９，５０に周溝４９ｂ，５０ｂを形成すると共に、その第１保持部４９と第２保持部５０との段差部５１に肉厚調整溝７２を形成することにより、保持枠４７の略全体に跨がってその肉厚の均一化を図ることができる。
【００７４】
図１５〜図２０は本発明の第４の実施形態を例示する。この実施形態では、図１５に示すように、ガラス扉８の裏側にガラス板ユニット４１を装着する際に、ガラス板ユニット４１を扉主体３８に対して上下及び左右の適正位置に位置決めするための位置決め手段８１，８２と、着脱、運搬等の取り扱い時に指を掛けるための指掛け部８３とが上部側の左右両側に設けられている。
【００７５】
この位置決め手段８１，８２には、図１６〜図１８に示すように、ガラス板ユニット４１の上下位置を位置決めする第１位置決め手段８１と、ガラス板ユニット４１の左右位置を位置決めする第２位置決め手段８２とがある。
【００７６】
第１位置決め手段８１は、保持枠４７の各被締結部６７から外側に突出する被持ち上げ案内部８４と、ガラス扉８の扉主体３８の裏面から被持ち上げ案内部８４の下側へと後方に突出する位置決め突起８５とを備えている。
【００７７】
第２位置決め手段８２は、保持枠４７の各被締結部６７の外側面に形成された被横寄せ部８６と、ガラス扉８の扉主体３８の裏面から被横寄せ部８６の外側へと後方に突出する位置決め突起８５とを備えている。
【００７８】
なお、位置決め突起８５は第１・第２位置決め手段８１，８２毎に別々に設けてもよい。また被締結部６７、被持ち上げ案内部８４及び被横寄せ部８６は、保持枠４７の第２保持部５０の外側に一体に設けられているが、これらも別々に設けてもよい。またこの実施形態では、第１・第２ガラス板４５，４６を左右に偏位させて配置したガラス板ユニット４１を例示しているが、ガラス板ユニット４１は第１・第２ガラス板４５，４６が左右に偏位しない構造のものでもよい。
【００７９】
位置決め突起８５は後部上面に持ち上げ案内面８７を、後部内面に横寄せ案内面８８を夫々備えている。持ち上げ案内面８７は、係合手段３９を支点としてガラス板ユニット４１の上部側が扉主体３８の裏側へと接近してきたときに被持ち上げ案内部８４を下側から案内して、下端の係合突起３９ａが第３補強部材４４の係合孔３９ｂから離脱しない範囲でガラス板ユニット４１を受け部４４ａから適正高さまで持ち上げるためのもので、位置決め突起８５の後部上面に後下がりの傾斜状に形成されている。
【００８０】
横寄せ案内面８８はガラス板ユニット４１の上部側が扉主体３８の裏側へと接近してきたときに持ち上げ案内面８７によりガラス板ユニット４１を持ち上げた状態で、被横寄せ部８６を外側から案内してガラス板ユニット４１を適正位置へと横方向に寄せるためのもので、位置決め突起８５の後部内面に後外側へと傾斜状に形成されている。
【００８１】
持ち上げ案内面８７と横寄せ案内面８８は、図１８（Ａ）及び（Ｂ）に各位置ａ〜ｄ毎の変化を示すように、ガラス板ユニット４１と一体に被持ち上げ案内部８４及び被横寄せ部８６を順次扉主体３８側へとＰ矢示方向に移動させたときに、先ず持ち上げ案内面８７が被持ち上げ案内部８４を介してガラス板ユニット４１を持ち上げ、その後にガラス板ユニット４１を持ち上げながら横寄せ案内面８８が被横寄せ部８６を介してガラス板ユニット４１を横方向に寄せるようになっている。
【００８２】
ガラス板ユニット４１の上部には、被締結部６７の上側等の適当箇所に保持枠４７と一体に指掛け部８３が設けられている。指掛け部８３は図１９に示すように保持枠４７の前後幅と略同じ前後幅を有し、保持枠４７の第１・第２保持部４９，５０に跨がって形成され、裏側から指を掛けるように裏面側から前側に凹入状に形成されている。他の構成は各実施形態と同様である。
【００８３】
ガラス板ユニット４１を扉主体３８の裏側に装着する際には、図２０に示すように、ガラス板ユニット４１の下端の係合突起３９ａを第３補強部材４４の係合孔３９ｂに挿入してガラス板ユニット４１を第３補強部材４４の受け部４４ａ上に載せた後、係合手段３９を支点としてガラス板ユニット４１の上部側を扉主体３８側へとＰ矢示方向に移動させる。
【００８４】
すると先ず第１位置決め手段８１側の被持ち上げ案内部８４が、図１８（Ａ）及び（Ｂ）に示すように位置ａから位置ｂ，ｃを経て位置決め突起８５の持ち上げ案内面８７により案内されて、ガラス板ユニット４１が図２０に示すように第３補強部材４４の受け部４４ａ上から持ち上げられて行く。
【００８５】
そして、ガラス板ユニット４１が受け部４４ａから持ち上がると、第２位置決め手段８２の被横寄せ部８６が位置決め突起８５の横寄せ案内面８８により案内されて、ガラス板ユニット４１が左右方向へと移動する。従って、第１・第２位置決め手段８１，８２によりガラス板ユニット４１を扉主体３８に対して上下及び左右の適正位置に位置決めすることができる。
【００８６】
また前後２枚のガラス板４５，４６の外周側を保持枠４７により保持したガラス板ユニット４１は非常に重たいため、第３補強部材４４の受け部４４ａ上に載せた状態のままでは左右方向の位置決めが困難であるが、第１位置決め手段８１の持ち上げ案内面８７によりガラス板ユニット４１を第３補強部材４４の受け部４４ａから持ち上げながら、第２位置決め手段８２の横寄せ案内面８８によりガラス板ユニット４１を左右方向に案内するため、ガラス板ユニット４１を適正位置に容易に位置決めすることができる。
【００８７】
ガラス板ユニット４１を適正位置に位置決めした後、締結部材６８により被締結部６７を締結してガラス板ユニット４１を扉主体３８の裏面に締結する。
【００８８】
ガラス板ユニット４１を扉主体３８から取り外す場合には、先ず締結部材６８による被締結部６７の締結を解除する。そして、左右の指掛け部８３の何れか又は両方に適宜指を掛けて、ガラス板ユニット４１を支えながら取り外せばよい。従って、指掛け部８３を設けることによって、ガラス板ユニット４１を容易且つ安全に取り外すことができる。なお、指掛け部８３はガラス板ユニット４１の装着時に利用してもよい。
【００８９】
図２１は本発明の第５の実施形態を例示する。この実施形態では、ガラス板ユニット４１の下部側を第３補強部材４４の受け部４４ａ及び係合手段３９により、上部を左右一対の係合固定手段９０により夫々固定するようになっている。なお、第３補強部材４４の受け部４４ａ及び係合手段３９は、各実施形態と略同様である。
【００９０】
係合固定手段９０は、保持枠４７の上部から左右両側に突出する係合突部９１と、扉主体３８から裏側に突出し且つ係合突部９１が上側から係脱自在に係合する係合受け具９２とを備え、係合突部９１が係合受け具９２に係合することにより、ガラス板ユニット４１の上部側を扉主体３８に固定するようになっている。
【００９１】
係合突部９１は各実施形態の被締結部６７と同様の位置で保持枠４７に設けられており、この係合突部９１よりも上側に指掛け部８３が配置されている。指掛け部８３は係合突部９１よりも下側でもよい。係合突部９１は他の位置に設けてもよい。
【００９２】
係合受け具９２はガラス板ユニット４１が扉主体３８の裏面に当接した状態で係合突部９１が上側から係脱自在に係合す係合部９２ａと、ガラス板ユニット４１を第３補強部材４４の受け部４４ａ上に載せた状態でＰ矢示方向に回動させたときに、係合突起３９ａが係合孔３９ｂから外れない範囲で係合突部９１を持ち上げながら係合部９２ａへと案内する持ち上げ案内部９２ｂとが設けられている。他の構成は各実施形態と同様である。また係合手段３９、係合固定手段９０によるガラス板ユニット４１の固定とは別に締結手段４０による締結を併用してもよい。
【００９３】
ガラス板ユニット４１を扉主体３８に装着する際には、ガラス板ユニット４１の下端の係合突部３９ａを第３補強部材４４の係合孔３９ｂに挿入してガラス板ユニット４１を第３補強部材４４の受け部４４ａ上に載せた後、係合手段３９を支点としてガラス板ユニット４１の上部側を扉主体３８側へとＰ矢示方向に移動させる。
【００９４】
すると先ず係合固定手段９０の係合突部９１が係合受け具９２の持ち上げ案内部９２ｂに沿って案内されるため、係合突部３９ａが係合孔３９ｂから外れない範囲内でガラス板ユニット４１が上昇する。そして、係合突部９１が持ち上げ案内部９２ｂを通過すると、ガラス板ユニット４１が受け部４４ａに載った状態で係合突部９１が係合部９２ａに係合する。これによってガラス板ユニット４１は、受け部４４ａ上で係合手段３９と左右一対の係合固定手段９０とによって扉主体３８の裏側に固定できる。
【００９５】
ガラス板ユニット４１を取り外す場合には、指掛け部８３に指を掛けてガラス板ユニット４１を持ち上げることにより、係合手段３９、係合固定手段９０による固定を解除できる。
【００９６】
図２２、図２３は本発明の第６の実施形態を例示する。この実施形態のガラス板ユニット４１は、第２ガラス板４６のガイドレール２１の膨らみ部２５ａに対応する部分の形状が第１ガラス板４５と異なっている。第２ガラス板４６は張り出し案内部５３側を除く外周形状が第１ガラス板４５と略同じであり、その外周形状が同じ部分では両ガラス板４５，４６の外周縁が揃うように保持枠４７により保持されている。
【００９７】
張り出し案内部５３側では、第２ガラス板４６に第１ガラス板４５よりも外側に突出する突出部４６ａが設けられ、またその突出部４６ａの突出量に応じて保持枠４７の第２保持部５０が第１保持部４９よりも外側に突出している。他の構成は各実施形態の何れかと同様である。
【００９８】
このようにガラス板ユニット４１は、その張り出し案内部５３に対応して突出部４６ａが形成された第２ガラス板４６を使用したものでもよい。この場合には、第１ガラス板４５と第２ガラス板４６との形状が異なるため、二種類のガラス板４５，４６を準備する必要があるが、第２ガラス板４６に突出部４６ａを設ければよいので、ガラス板４５，４６用の材料の無駄を防止できる。
【００９９】
図２４〜図２６は本発明の第７の実施形態を例示する。この実施形態では、ガイドレール２１の膨らみ部２５ａに対応する張り出し案内部５３は、保持枠４７の第２保持部５０から外側へと一体に突出して形成されている。
【０１００】
そして、張り出し案内部５３の裏面は第２ガラス板４６の裏面と略面一状に形成され、張り出し案内部５３と第２ガラス板４６との間で遊技球をスムーズに案内できるようになっている。なお、前後２枚のガラス板４５，４６の外周形状は略同じである。他の構成は各実施形態の何れかと同様である。
【０１０１】
このように張り出し案内部５３は保持枠４７から外側に一体に突出して形成してもよい。なお、張り出し案内部５３は裏面に耐摩耗性の皮膜を設けてもよい。
【０１０２】
図２７、図２８は本発明の第８の実施形態を例示する。この実施形態では、張り出し案内部５３は、第２ガラス板４６の突出部４６ａと保持枠４７の第２保持部５０から一体に突出する突出部５０ｃとに跨がって設けられている。他の構成は各実施形態の何れかと同様である。
【０１０３】
このように張り出し案内部５３は、第２ガラス板４６と保持枠４７とに跨がって形成してもよい。
【０１０４】
図２９、図３０は本発明の第９の実施形態を例示する。この実施形態では、張り出し案内部５３の外周側に、ガイドレール２１の外レール２５の膨らみ部２５ａの外側で外レール２５の前端よりも後方に突出する不正防止用突出部７４が設けられており、この不正防止用突出部７４と外レール２５との重なりによって、ピアノ線等の不正部材の遊技領域２３側への挿入を阻止するようになっている。なお、不正防止用突出部７４は張り出し案内部５３を含む外レール２５の長手方向の両側にわたって設けてもよい。他の構成は各実施形態の何れかと同様である。
【０１０５】
前枠３の前枠用ヒンジ４側の縦枠部３ａの左右幅を小さくする等により遊技盤７を大型化して遊技領域２３の左右幅を拡大する場合、ガイドレール２１の最大膨らみ部２５ａが前枠３の左端側に最接近するため、最大膨らみ部２５ａ又はその近傍部分からガイドレール２１の前側を経て遊技領域２３へとピアノ線等の不正部材を挿入される惧れがある。
【０１０６】
しかし、ガラス板ユニット４１側に最大膨らみ部２５ａ又はその近傍部分の使用範囲βに不正防止用突出部７４を設けることによって、ガイドレール２１の膨らみ部２５ａ側からの不正部材の挿入を防止することができる。
【０１０７】
図３１、図３２は本発明の第１０の実施形態を例示する。この実施形態では、発射手段１６は図３１に示すように、前面扉９の裏側で前枠３のヒンジ４，１１，１２側の下部に上向きに配置されており、この発射手段１６から遊技盤７のガイドレール２１の球案内通路２６へと上向き（Ｒ方向）に遊技球を発射するようになっている。
【０１０８】
ガラス板ユニット４１は図３２に示すように第１の実施形態と同様に左右の下隅部４１ａ，４１ｂが角形に近い形状をしている。ガイドレール２１の下部側はガラス板ユニット４１の左下隅部４１ａ近傍へと第２ガラス板４６に沿って下方に伸びており、その下端側が発射手段１６からの遊技球の受け入れ口となっている。ガイドレール２１の下部側はガラス扉８により前側から覆われている。なお、ガイドレール２１の膨らみ部２５ａから上側は各実施形態と同様である。
【０１０９】
このように発射手段１６を配置した弾球遊技機においても、各実施形態と同様にそのガラス板ユニット４１のガイドレール２１側に張り出し案内部５３を設けることにより、遊技領域２３を拡大でき、しかもその遊技領域２３へと遊技球を円滑に案内することができる。
【０１１０】
図３３〜図３５は本発明の第１１の実施形態を例示する。この実施形態では、ガラス板ユニット４１の第１・第２ガラス板４５，４６の下隅部９４が略同程度の半径の円弧状であり、第２ガラス板４６にはこの下隅部９４から上側で第２ガラス板４６が第１ガラス板４５の端縁から外側に張り出すように張り出し案内部５３が設けられている。ガラス板ユニット４１の保持枠４７は、間隔保持部４８の前後両側に第１・第２保持部４９，５０が設けられており、その第１保持部４９の周壁部４９ａは下端側の下隅部９４の段差９５を介して第２保持部５０の周壁部５０ａの外周面と連続するようになっている。ガラス板ユニット４１の下側では、第１・第２保持部４９，５０の周壁部４９ａ，５０ａは面一状になっている。
【０１１１】
このように第２ガラス板４６の張り出し案内部５３側の側縁が下隅部９４で第１ガラス板４５の外周に一致又は略一致する場合には、保持枠４７の第１保持部４９側の周壁部４９ａの下端側に段差９５を設けてもよい。この場合には、保持枠４７の成型に使用する金型の構造を簡素化することができ、その製作が容易になる利点がある。
【０１１２】
以上、本発明の各実施形態について詳述したが、本発明はこの各実施形態に限定されるものではなく、本発明の趣旨を逸脱しない範囲で種々の変更が可能である。例えば、実施形態では、透明板にガラス板４５，４６を用いた場合を例示し、透明板ユニット４１をガラス板ユニット４１とし、開閉扉をガラス扉８としているが、透明板にはガラス板４５，４６以外のもの、例えば耐摩耗性を有する合成樹脂製の透明板を使用してもよい。
【０１１３】
また実施形態では、左右の側枠部５５ａ，５５ｂに第１・第２補強部材４２，４３を、下枠部５５ｃに第３補強部材４４を夫々備えた扉主体３８を例示しているが、上枠部５５ｄにも補強部材を設けてもよい。第１〜第３補強部材４２〜４４を相互に連結するに当たっては、前後に重ねて扉枠５５に固定する他、一方に他方を係合又は挿入して連結してもよい。
【０１１４】
前後２枚のガラス板４５，４６の外周形状は任意であり、略同一形状のものを使用してもよいし、第２ガラス板４６のヒンジ側に突出部を備えたものを使用してもよい。ガラス板ユニット４１には保持枠４７の適宜箇所に、内部空間を除湿するための除湿剤を入れる部分を設けてもよい。保持枠４７は各実施形態に例示の構造以外のものでもよい。発射手段１６の位置は適宜変更可能である。
【符号の説明】
【０１１５】
１  パチンコ機
２  外枠
３  前枠
６  遊技盤装着部
７  遊技盤
８  ガラス扉（開閉扉）
２１  ガイドレール
２３  遊技領域
２４  内レール
２５  外レール
３８  扉主体
３９  係合手段
４１  ガラス板ユニット（透明板ユニット）
４２〜４４  第１〜第３補強部材
４５，４６  第１・第２ガラス板
４７  保持枠
４９，５０  第１・第２保持部
５１  段差部
５３  張り出し案内部
８１  第１位置決め手段
８２  第２位置決め手段
【図１】
2015166000.tif 000003
【図２】
2015166000.tif 000004
【図３】
2015166000.tif 000005
【図４】
2015166000.tif 000006
【図５】
2015166000.tif 000007
【図６】
2015166000.tif 000008
【図７】
2015166000.tif 000009
【図８】
2015166000.tif 000010
【図９】
2015166000.tif 000011
【図１０】
2015166000.tif 000012
【図１１】
2015166000.tif 000013
【図１２】
2015166000.tif 000014
【図１３】
2015166000.tif 000015
【図１４】
2015166000.tif 000016
【図１５】
2015166000.tif 000017
【図１６】
2015166000.tif 000018
【図１７】
2015166000.tif 000019
【図１８】
2015166000.tif 000020
【図１９】
2015166000.tif 000021
【図２０】
2015166000.tif 000022
【図２１】
2015166000.tif 000023
【図２２】
2015166000.tif 000024
【図２３】
2015166000.tif 000025
【図２４】
2015166000.tif 000026
【図２５】
2015166000.tif 000027
【図２６】
2015166000.tif 000028
【図２７】
2015166000.tif 000029
【図２８】
2015166000.tif 000030
【図２９】
2015166000.tif 000031
【図３０】
2015166000.tif 000032
【図３１】
2015166000.tif 000033
【図３２】
2015166000.tif 000034
【図３３】
2015166000.tif 000035
【図３４】
2015166000.tif 000036
【図３５】
2015166000.tif 000037
【手続補正書】
【提出日】平成27年7月13日(2015.7.13)
【手続補正１】
【補正対象書類名】特許請求の範囲
【補正対象項目名】全文
【補正方法】変更
【補正の内容】
【特許請求の範囲】
【請求項１】
前枠に着脱自在に装着され且つ遊技領域へと遊技球を案内するガイドレールを有する遊技盤と、
前記遊技盤の前側に配置され且つ前記前枠にヒンジにより開閉自在に枢着された開閉扉と、
前記開閉扉の裏側に装着され且つ前記ガイドレールの前側から前記遊技領域を視認可能な透明板ユニットとを備えた弾球遊技機において、
前記開閉扉は該開閉扉の前記ヒンジ側を補強する補強部を備え、
前記透明板ユニットは前記補強部に対応する段差部を備えた
ことを特徴とする弾球遊技機。
【手続補正２】
【補正対象書類名】明細書
【補正対象項目名】００１０
【補正方法】変更
【補正の内容】
【００１０】
本発明は、前枠に着脱自在に装着され且つ遊技領域へと遊技球を案内するガイドレールを有する遊技盤と、前記遊技盤の前側に配置され且つ前記前枠にヒンジにより開閉自在に枢着された開閉扉と、前記開閉扉の裏側に装着され且つ前記ガイドレールの前側から前記遊技領域を視認可能な透明板ユニットとを備えた弾球遊技機において、前記開閉扉は該開閉扉の前記ヒンジ側を補強する補強部を備え、前記透明板ユニットは前記補強部に対応する段差部を備えたものである。
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】削除
【補正の内容】